(57)【要約】      （修正有）【課題】三次元画像を提供できるディスプレイモジュールを提供する。【解決手段】ディスプレイモジュールであって、第一リアパネル１０、第一導光板２０、第一ライトバー１６、ディスプレイパネル２１を有する。第一リアパネルは第一サイド１００を有する。第一導光板は第一リアパネル上に設置される。第一ライトバーは第一リアパネルの第一サイド上に設置され、且つ第一ライトバーは第一導光板と第一リアパネルとの間に設置される。第一ライトバーは複数の第一発光ダイオードユニット１６１を有し、各第一発光ダイオードユニットの長さはＬで、且つ各第一発光ダイオードユニット中の相互に隔てる距離が最も遠い２個の距離はＷ１である。ディスプレイパネルは第一導光板上に設置される。ディスプレイパネルはディスプレイエリア２１５を有し、ディスプレイエリアは第二サイド１０１を有し、第二サイドは第一サイドに隣接し、且つ第二サイドの長さはＷ２で、Ｗ２はＷ１より小さく、且つＷ１とＷ２との差はＬより大きい。【選択図】図１
0003198615.tif 000002
【実用新案登録請求の範囲】
【請求項１】
ディスプレイモジュールであって、第一リアパネル、第一導光板、第一ライトバー、ディスプレイパネルを有し、
前記第一リアパネルは、第一サイドを有し、
前記第一導光板は、前記第一リアパネル上に設置され、
前記第一ライトバーは、前記第一リアパネルの第一サイド上に設置され、且つ前記第一ライトバーは、前記第一導光板と前記第一リアパネルとの間に設置され、前記第一ライトバーは、複数の第一発光ダイオードユニットを有し、前記各第一発光ダイオードユニットの長さはＬで、且つ前記各第一発光ダイオードユニット中の相互に隔てる距離が最も遠い２個の第一発光ダイオードユニットの距離はＷ１で、
前記ディスプレイパネルは、前記第一導光板上に設置され、前記ディスプレイパネルは、ディスプレイエリアを有し、前記ディスプレイエリアは、第二サイドを有し、前記第二サイドは、前記第一サイドに隣接し、且つ前記第二サイドの長さはＷ２で、
Ｗ２はＷ１より小さく、且つＷ１とＷ２との差はＬより大きいことを特徴とするディスプレイモジュール。
【請求項２】
前記ディスプレイパネルは、前記第一導光板に接着されることを特徴とする請求項１に記載のディスプレイモジュール。
【請求項３】
前記ディスプレイパネルと前記第一導光板との間には、光学接着剤を有することを特徴とする請求項２に記載のディスプレイモジュール。
【請求項４】
前記ディスプレイモジュールは、枠体をさらに有し、
前記枠体は、前記第一導光板と前記第一リアパネルとの間に設置され、前記枠体は、突出部を有し、
前記第一ライトバーは、第一ライトバー基板を有し、前記各第一発光ダイオードユニットは、前記第一ライトバー基板上に設置され、
前記突出部は、前記第一ライトバー基板と前記第一導光板との間に位置し、且つ前記突出部の厚みは、前記各第一発光ダイオードユニットの厚みより大きいことを特徴とする請求項１に記載のディスプレイモジュール。
【請求項５】
前記ディスプレイモジュールは、第二導光板、及び少なくとも一枚の光学フィルムをさらに有し、
前記第二導光板は、前記第一リアパネル上に設置され、
前記光学フィルムは、前記第一導光板と前記第二導光板との間に設置されることを特徴とする請求項１に記載のディスプレイモジュール。
【請求項６】
前記ディスプレイモジュールは、第二ライトバーをさらに有し、
前記第一リアパネルは、第三サイドを有し、
前記第三サイドと前記第一サイドとは、連接し、
前記第二ライトバーは、前記第三サイドに設置され、且つ前記第二導光板に対応して設置されることを特徴とする請求項５に記載のディスプレイモジュール。
【請求項７】
前記枠体は、搭載部をさらに有し、
前記第一導光板は、前記搭載部上に設置され、
前記第一導光板の下表面と前記第一リアパネルの底面との垂直距離は、前記第一発光ダイオードユニットの水平中心線と前記底面との垂直距離より、小さく、且つ前記第一導光板の上表面と前記第一リアパネルの底面との垂直距離は、前記第一発光ダイオードユニットの水平中心線と前記底面との垂直距離より大きいことを特徴とする請求項４に記載のディスプレイモジュール。
【請求項８】
前記第一導光板は、複数のストライプパターンを有し、
前記複数のストライプパターン中の相互間が最も離れた２本のストライプパターンの距離はＷ１より小さいことを特徴とする請求項１に記載のディスプレイモジュール。
【請求項９】
前記ディスプレイモジュールは、マスクをさらに有し、前記マスクは、前記第一リアパネルと前記枠体との間に設置され、
前記マスクは、延伸部は有し、前記延伸部は、前記第一導光板の一部を覆うことを特徴とする請求項４に記載のディスプレイモジュール。
【請求項１０】
前記ディスプレイモジュールは、外枠をさらに有し、
前記外枠は、前記第一リアパネル及び前記第一導光板の一部を覆うことを特徴とする請求項１に記載のディスプレイモジュール。
【考案の詳細な説明】
【技術分野】
【０００１】
本考案はディスプレイモジュールに関し、特に三次元画像を提供できるディスプレイモジュールに関する。
【背景技術】
【０００２】
従来のディスプレイ構造は、ライトバーが提供する光を通して、結像区に画像を表示するものである。
しかしながら、該表示画像は平面、すなわち二次元画像である。視覚画像のテクノロジーの発展に従い、三次元画像は消費者の支持を受けるようになっており、従来のディスプレイ構造は、消費者のニーズに応えられなくなってきている。よって、従来のディスプレイには、改善の余地がある。
【考案の概要】
【考案が解決しようとする課題】
【０００３】
前記先行技術の説明で分かるとおり、従来のディスプレイには二次元画像しか表示できない欠点がある。
【課題を解決するための手段】
【０００４】
本考案はライトバーが提供する光を利用し、三次元画像を表示し、該ディスプレイモジュール中で三次元画像と二次元画像を切り替えることができ、二次元画像しか表示できないという従来のディスプレイの問題を克服することができるディスプレイモジュールに関する。
【０００５】
本考案によるディスプレイモジュールは、第一リアパネル、第一導光板、第一ライトバー、ディスプレイパネルを有する。
該第一リアパネルは、第一サイドを有する。
該第一導光板は、該第一リアパネル上に設置される。
該第一ライトバーは、該第一リアパネルの第一サイド上に設置され、且つ該第一ライトバーは、該第一導光板と該第一リアパネルとの間に設置される。
該第一ライトバーは、複数の第一発光ダイオードユニットを有し、該各第一発光ダイオードユニットの長さはＬで、且つ該各第一発光ダイオードユニット中の相互に隔てる距離が最も遠い２個の第一発光ダイオードユニットの距離はＷ１である。
該ディスプレイパネルは、該第一導光板上に設置される。
該ディスプレイパネルは、ディスプレイエリアを有し、該ディスプレイエリアは、第二サイドを有し、該第二サイドは、該第一サイドに隣接し、且つ該第二サイドの長さはＷ２で、Ｗ２はＷ１より小さく、且つＷ１とＷ２との差はＬより大きい。
【考案の効果】
【０００６】
本考案のディスプレイモジュールの第一ライトバーは第一導光板に光を提供し、第一導光板はディスプレイパネルに光を伝導し、これによりディスプレイパネルは三次元画像を表示し、第一ライトバー上の最も遠い２個の発光ダイオードユニットの距離（Ｗ１）は、ディスプレイパネルのディスプレイエリアの第二サイドの長さ（Ｗ２）より大きく、発光ダイオードユニットはディスプレイパネルのエッジエリアに対して補光でき、こうしてディスプレイモジュールの輝度は均一となる。
【図面の簡単な説明】
【０００７】
【図１】本考案の一実施形態によるディスプレイモジュールの立体分解図である。
【図２】本考案の一実施形態によるディスプレイモジュールの第一ライトバーの立体模式図である。
【図３】本考案の一実施形態によるディスプレイモジュールのディスプレイパネルの模式図である。
【図４】本考案の一実施形態によるディスプレイモジュールの第一ライトバー、ディスプレイパネル、枠体、第一リアパネルの局部模式図である。
【図５】本考案の一実施形態によるディスプレイモジュールの局部立体断面模式図である。
【図６】本考案の複数のストライプパターンの模式図である。
【図７】本考案のストライプパターン模式図である。
【図８】本考案の一実施形態によるディスプレイモジュールの局部立体断面模式図である。
【図９】本考案の第二リアパネルの局部立体模式図である。
【図１０】本考案のディスプレイパネルと第一導光板との局部断面模式図である。
【考案を実施するための形態】
【０００８】
以下に本考案の技術内容、構造特徴、達成する目的及び作用効果について、以下に例を挙げ並びに図面を組み合わせて詳細に説明する。
【０００９】
図１に示すとおり、本考案の実施形態によるディスプレイモジュールは、第一リアパネル１０、第一ライトバー１６、第一導光板２０、ディスプレイパネル２１を有する。
【００１０】
第一リアパネル１０は、第一サイド１００を有する。第一ライトバー１６は、第一リアパネル１０の第一サイド１００に設置され、且つ第一ライトバー１６は、第一導光板２０と第一リアパネル１０との間に設置される。
【００１１】
図２に示すとおり、第一ライトバー１６は、第一ライトバー基板１６０、複数の第一発光ダイオードユニット１６１を有する。各第一発光ダイオードユニット１６１は、第一ライトバー基板１６０上に設置され、且つ第一発光ダイオードユニット１６１の長さはＬである。各第一発光ダイオードユニット１６１中の相互に隔てる距離が最も遠い２個の第一発光ダイオードユニット１６１の距離はＷ１である。
【００１２】
図３に示すとおり、ディスプレイパネル２１は、ディスプレイエリア２１５を有する。ディスプレイエリア２１５は、第二サイド２１０、第四サイド２１１を含む。第二サイド２１０は、第一リアパネル１０の第一サイド１００に隣接し、且つ第二サイド２１０の長さは、Ｗ２である。Ｗ１は、Ｗ２より大きく、且つＷ１とＷ２との差は、Ｌより大きい。すなわち、相互間の距離が最も遠い２個の第一発光ダイオードユニット１６１の距離Ｗ１は、ディスプレイエリア２１５の１個の発光ダイオードユニット１６１の長さＬの距離よりも長い。ディスプレイエリア２１５とは、ディスプレイパネル２１上の画像を表示可能なエリアを指す。
【００１３】
図１及び図４に示すとおり、第一リアパネル１０は、第三サイド１０１をさらに有する。第三サイド１０１は、第一サイド１００と連接し、且つ第三サイド１０１は、第四サイド２１１に隣接する。Ｗ２はＷ１より小さいため、第一発光ダイオードユニット１６１の少なくとも一部は、第三サイド１０１と第四サイド２１１との間に位置する。
【００１４】
好ましくは、少なくとも１個の第一発光ダイオードユニット１６１は、ディスプレイエリア２１５の第四サイド２１１の延伸線Ｅ外に位置する。延伸線Ｅ外に位置する第一発光ダイオードユニット１６１の設置により、ディスプレイパネル２１のエッジエリアに対して補光を行うことができ、これによりディスプレイモジュールの輝度は、均一となる。
【００１５】
一実施形態において、図１及び図４に示すとおり、本考案のディスプレイモジュールは、枠体１７をさらに有する。枠体１７は、第一導光板２０と第一リアパネル１０との間に設置され、且つ第一リアパネルと相互に結合される。枠体１７の少なくとも一つの角には、突出部１７０を有する。突出部１７０は、第一ライトバー基板１６０と第一導光板２０との間に位置する。突出部１７０の厚みは、第一発光ダイオードユニット１６１の厚みより大きい。こうして、第一導光板２０が第一発光ダイオードユニット１６１にぶつかり、光源が損傷し、ディスプレイモジュール全体の映像表示効果に悪影響が及ぶことを防止することができる。
【００１６】
図５に示すとおり、枠体１７中には、搭載部１７２をさらに有する。第一導光板２０は、枠体１７の搭載部１７２上に設置される。搭載部１７２は、第一導光板２０を支える。これにより、第一導光板２０の下表面２０１と第一リアパネル１０の底面１０２との垂直距離Ｈ１は、第一発光ダイオードユニット１６１の水平中心線と底面１０２との垂直距離Ｈ２より、小さくなり、且つ第一導光板２０の上表面２００と第一リアパネル１０の底面１０２との垂直距離Ｈ３は、第一発光ダイオードユニット１６１の水平中心線と底面１０２との垂直距離Ｈ２より大きくなる。こうして、第一発光ダイオードユニット１６１が発する光は、第一導光板２０内に入射する。好ましくは、第一ライトバー１６の第一発光ダイオードユニット１６１は、第一導光板２０の入光側２０２の中央位置に、正面対応する。
【００１７】
図６は、第一導光板２０の下表面２０１上に、複数のストライプパターン５を設置する様子を示す模式図である。第一導光板２０は、三次元導光板で、その下表面２０１は、複数のストライプパターン５を有する。図７に示すとおり、各ストライプパターン５は、第一端５０、及び相対する第二端５２を有する。第一端５０の幅は、Ｐ１で、第二端５２の幅は、Ｐ２で、且つストライプパターン５は、中央区域５１を有し、中央区域５１の幅は、Ｐ３である。本実施形態では、Ｐ１はＰ３より小さく、Ｐ２はＰ３より小さい。
【００１８】
よって、第一導光板２０のストライプパターン５の、第一ライトバー１６に近い第一端５０及び第二端５２は、比較的小さい幅を有し、第一ライトバー１６から遠い中央区域５１は、比較的大きな幅Ｐ３を有する。第一導光板２０の特殊設計のストライプパターン５は、中央区域の出光効率が不良であるという従来の均等幅パターンが招く問題を改善でき、全体的な出光強度を均一化することができる。
【００１９】
図６に示すとおり、複数のストライプパターン５中の相互間が最も離れた２本のストライプパターンの距離は、Ｐ４で、第一発光ダイオードユニット１６１中の相互間が最も離れた２本の第一発光ダイオードユニット１６１の距離Ｗ１は、Ｐ４より大きい。こうして、ディスプレイモジュールの出光は、より均一化し、且つむら（ｍｕｒａ）現象の発生を回避できる。
【００２０】
図１に示すとおり、本考案のディスプレイモジュールは、第二リアパネル１１をさらに有する。第二リアパネル１１は、第一リアパネル１０中に設置される。第二リアパネル１１と第一リアパネル１０とは一体成型とでき、或いは第一リアパネル１０と第二リアパネル１１を二つの独立したパーツとし、或いは第二リアパネル１１を選択的なパーツとし、本考案のディスプレイモジュールは、第一リアパネル１０のみの使用とすることができる。
【００２１】
図８に示すとおり、本考案のディスプレイモジュールの別種の実施形態では、第二リアパネル１１Ａは、少なくとも１個のサポート台１１０Ａを有する。図９に合わせて示すとおり、サポート台１１０Ａは、固定孔１１１Ａを有する。固定孔１１１Ａは、ネジ孔である。サポート台１１０Ａの断面は「コ」の字型に折れる。
【００２２】
枠体１７Ａの搭載部１７１Ａは、固定孔１１１Ａに相対する位置に、穿孔１７０Ａを有する。固定部材（図示なし）は、穿孔１７０Ａを通過し、固定孔１１１Ａに固定され、これにより枠体１７Ａの搭載部１７１Ａは、第二リアパネル１１Ａに定位される。
【００２３】
サポート台１１０Ａは、枠体１７Ａを設定高度にサポートする。第一導光板２０は、枠体１７Ａの搭載部１７１Ａ上に設置されるため、第一ライトバー１６Ａの第一発光ダイオードユニット１６１Ａを、第一導光板２０の入光側２０２に正面対応させることができる。
【００２４】
第二リアパネルを備えない実施形態、或いは第二リアパネルと第一リアパネルとを一体成型するなら、上記のサポート台は、第一リアパネルの構成部材と見なすことができる。枠体を第一リアパネルに設置すると、固定部材は、穿孔を通過し、固定孔に固定され、枠体を第一リアパネルに定位する。
【００２５】
図１に合わせて示すとおり、本考案のディスプレイモジュールは、第二ライトバー１２をさらに有する。第二ライトバー１２は、第一リアパネル１０の第三サイド１０１に設置される。
【００２６】
本考案のディスプレイモジュールは、第二導光板１４をさらに有する。第二導光板１４は、第一リアパネル１０と第一導光板２０との間に設置される。第二導光板１４の少なくとも一端は、第二ライトバー１２に相対して設置される。第二ライトバー１２が発する光は、第二導光板１４により導かれ、第一導光板２０に入射する。好ましくは、第二導光板１４は、二次元導光パーツである。
【００２７】
第一ライトバー１６は、第一導光板１０に対応して設置される。第二ライトバー１２は、第二導光板１４に対応して設置される。且つ、第二導光板１４は、第一リアパネル１０と第一導光板２０との間に設置される。よって、第一ライトバー１６の水平中心線と底面１０２との垂直距離は、第二ライトバー１６の水平中心線と底面１０２との垂直距離より大きい。
【００２８】
本考案のディスプレイモジュールは、反射片１３をさらに有する。反射片１３は、第二導光板１４と第一リアパネル１０との間に設置する。反射片１３は、第二ライトバー１２が発する光を反射する。別種の実施形態では、反射片１３は、少なくとも１コの光学フィルムで置換できる。
【００２９】
本考案のディスプレイモジュールは、光学フィルムセット１５をさらに有する。光学フィルムセット１５は、第一導光板２０と第二導光板１４との間に位置する。光学フィルムセット１５は、複数の光学フィルムで、或いは少なくとも一枚の光学フィルムを有する。各光学フィルムは、少なくとも一枚の拡散片、或いは複数のレンズである。
【００３０】
図１０に示すとおり、ディスプレイパネル２１は、第一導光板２０上に設置される。ディスプレイパネル２１は、少なくとも一枚のカラーフィルター２１２、薄膜トランジスタ２１３、偏光板２１４を有する。ディスプレイパネル２１と第一導光板２０との間には、光学接着剤２３を有し、これによりディスプレイパネル２１は、第一導光板２０に接着される。こうして、ディスプレイエリア２１５とストライプパターン５の相対位置とを固定し、これにより人の目はより明晰な三次元画像を見ることができる。好ましくは、光学接着剤２３は、第一導光板２０の非入光側に設置し、これにより入射する光が形成する光形が、光学接着剤２３に破壊されないようにする。非入光側は、第一導光板２０のライトバーを未設置の側で、図１に示すとおり、すなわち第一導光板２０の第一ライトバー未設置の位置であり、また第一リアパネル１０の第三サイド１０１と平行な側である。
【００３１】
図１及び図５に示すとおり、本考案のディスプレイモジュールは、マスク２２をさらに有する。マスク２２は、第一リアパネル１０と枠体１７との間に設置される。マスク２２の片側は、第一ライトバー１６を覆い、第一導光板２０の片側を押圧する。例えば、マスク２２は、延伸部２２０は有し、延伸部２２０は、第一導光板２０の一部を覆う。マスク２２の設置により、第一導光板２０を固定し、第一ライトバー１６の第一発光ダイオードユニット１６１の漏光を防止する。
【００３２】
図１及び図５に示すとおり、本考案のディスプレイモジュールは、外枠１８をさらに有する。外枠１８は、第一リアパネル１０に結合し、第二リアパネル１１、第二ライトバー１２、反射片１３、第二導光板１４、光学フィルムセット１５、第一ライトバー１６、枠体１７、第一導光板２０、ディスプレイパネル２１、マスク２２を、外枠１８と第一リアパネル１０との間に挟んで設置する。例えば、外枠１８は、第一リアパネル１０と第一導光板２０の一部を覆う。
【００３３】
図１に示すとおり、本考案において、二次元画像を表示する際には、第二ライトバー１２は、光を第二導光板１４に提供する。第二導光板１４は、光を、光学フィルムセット１５を通して、ディスプレイパネル２１に伝送する。これにより、ディスプレイパネル２１は、二次元画像を表示する。第一ライトバー１６は、いくらかの光を提供し、影を除去し、或いは光線の補強とすることができる。
【００３４】
本考案において、三次元画像を表示する際には、第一ライトバー１６は、光を第一導光板２０に提供する。第一導光板２０は、光を、ディスプレイパネル２１に伝送する。これにより、ディスプレイパネル２１は、三次元画像を表示する。
【００３５】
上記したように、本考案はライトバーの切り替えにより、二次元画像或いは三次元画像の光源とすることができる。こうして、本考案は使用者のニーズに基づき、二次元画像或いは三次元画像を提供することができる。よって、少なくとも一部の発光ダイオードユニットは、ディスプレイエリアと発光ダイオードユニット垂直の片側の延伸線外に設置し、二次元画像の表示であろうと、三次元画像の表示であろうと、ディスプレイパネルを通過する光線を補強することができ、また均一化の効果をも備える。また、本考案の枠体が突出部を有する設計は、ライトバーの発光ダイオードユニットが第一導光板にぶつかられないよう保護することができる。
【符号の説明】
【００３６】
１０  第一リアパネル
１００  第一サイド
１０１  第三サイド
１０２  底面
１１  第二リアパネル
１２  第二ライトバー
１３  反射片
１４  第二導光板
１５  光学フィルムセット
１６  第一ライトバー
１６０  第一ライトバー基板
１６１  第一発光ダイオードユニット
１７  枠体
１７０  突出部
１７２  搭載部
１８  外枠
２０  第一導光板
２００  上表面
２０１  下表面
２０２  入光側
２１  ディスプレイパネル
２１０  第二サイド
２１１  第四サイド
２１２  カラーフィルター
２１３  薄膜トランジスタ
２１４  偏光板
２１５  ディスプレイエリア
２２  マスク
２２０  延伸部
２３  光学接着剤
１１Ａ  第二リアパネル
１１０Ａ  サポート台
１１１Ａ  固定孔
１６Ａ  第一ライトバー
１６１Ａ  第一発光ダイオードユニット
１７Ａ  枠体
１７０Ａ  穿孔
１７１Ａ  搭載部
５  ストライプパターン
５０  第一端
５１  中央区域
５２  第二端
Ｈ１、Ｈ２、Ｈ３  垂直距離
Ｐ１、Ｐ２、Ｐ３  幅
Ｗ１、Ｐ４  距離
Ｗ２、Ｌ  長さ
【図１】
0003198615.tif 000003
【図２】
0003198615.tif 000004
【図３】
0003198615.tif 000005
【図４】
0003198615.tif 000006
【図５】
0003198615.tif 000007
【図６】
0003198615.tif 000008
【図７】
0003198615.tif 000009
【図８】
0003198615.tif 000010
【図９】
0003198615.tif 000011
【図１０】
0003198615.tif 000012